(57)【特許請求の範囲】
【請求項１】
電子機器本体の所定面に配置したパネルに表示部と複数の操作ボタンとを配列させ、かつ、複数配列した前記操作ボタン間には、前記操作ボタンの高さより高く突出する複数の保護リブを介在させた電子機器のパネル保護構造において、
前記保護リブは、前記パネルの正面側から所定の衝撃が加わった場合に、リブに一定の強度を持たせて衝撃を吸収し前記操作ボタン及び表示部を保護する硬質材を内部に設けたことを特徴とする電子機器のパネル保護構造。
【請求項２】
請求項１に記載の電子機器のパネル保護構造において、
前記硬質材は、金属材からなる板金であり、前記パネルから延在する複数の前記保護リブ内に少なくとも１箇所以上配置していることを特徴とする電子機器のパネル保護構造。
【請求項３】
請求項１または２のいずれかに記載の電子機器のパネル保護構造において、
前記表示部は、前記パネル内にガラス材により形成した液晶表示器を配置し、この液晶表示器のガラス材が割れた際に破片の散乱を防止する保護シートを貼ったことを特徴とする電子機器のパネル保護構造。
【請求項４】
請求項１乃至３のいずれかに記載の電子機器のパネル保護構造において、
前記本体内には、前記パネルと所定の間隔を設けて配置されたシールド板を設けており、このシールド板と前記保護リブとの間の空間に前記硬質材を固定して設けたことを特徴とする電子機器のパネル保護構造。
【発明の詳細な説明】
【０００１】
【発明の属する技術分野】
本発明は、電子機器のパネル保護構造に係り、より詳細には電子機器本体の所定面に表示部と複数の操作ボタンとを配置したパネルを設けて操作ボタンが複数配列する間にパネルから延在する保護リブを突出させて衝撃を吸収する電子機器のパネル保護構造に関する。
【０００２】
【従来の技術】
従来、例えば、カーオーディオ、カーナビゲーションなどの電子機器には、本体の前面にパネルを配置し、このパネルに液晶表示器（ＬＣＤ）及び複数の操作ボタンを配置している。また、このパネルは、カーオーディオのパネルの場合、全体面積が広く複数の操作ボタンが配置されており、この操作ボタンに負荷を与えないように操作ボタンの間に突出する保護リブを介在させて衝撃を吸収する電子機器のパネル保護構造を備えている。図６は、このようなカーオーディオに採用した従来の電子機器のパネル保護構造を示す一部切り欠いた斜視図である。また、図７は、図６に示した矢印Ｄの方向から見た保護リブ３０ａに衝突物Ｂが当接した状態を示す平面図である。また、図８は、図７に示したＥ−Ｅ線の断面で保護リブ３０ａが破損した状態を示す断面図である。また、図９は、図６に示した液晶表示器３０ａが破損した状態を示す図である。
【０００３】
図６に示すように、カーオーディオに採用した従来の電子機器のパネル保護構造は、カーオーディオの外装を形成する本体１を設け、この本体１の所定面に表示部３２及び複数の操作ボタン３４を配置したパネル３０を備え、このパネル３０に操作ボタン３４の間に介在して突出する保護リブ３０ａを一体に形成して衝撃を吸収する構造を備えている。
【０００４】
ここで、本体１内には、図示されていないが、パネル３０の裏側に複数の電子部品を実装した回路基板を配置している。この回路基板には、パネル３０の表示部３２に配置されるガラス材からなる液晶表示器（ＬＣＤ）４０、及びパネル３０に配置した複数の操作ボタン３４により動作するスイッチ（図示せず）などの電子部品が実装されている。
【０００５】
また、パネル３０は、本体１の所定面を封止するように装着されており、この表面に表示部３２を設けて本体１内から前述した液晶表示器４０を配置しているとともに、この表示部３２の近傍に複数の操作ボタン３４を突出するように配列させて操作面を形成している。これによりパネル３０の操作面では、表示部３２で所定の情報を表示して伝達できるとともに、複数配列させた操作ボタン３４を操作することで所定の機能を実行することができる。ここで、パネル３０には、操作面に複数配列する操作ボタン３４の間に介在して表面に突出する複数の保護リブ３０ａを一体に形成している。この保護リブ３０ａは、パネル３０に突出させて配置した操作ボタン３４より高く突出させて設けており、操作ボタン３４に直接衝撃が加わることを防止している。
【０００６】
このような構成によるカーオーディオに採用した従来の電子機器のパネル保護構造は、図７に示すように、例えば、パネル３０の正面に所定の衝突物Ｂが当接して衝撃が加えられた場合、この衝突物Ｂに保護リブ３０ａが当接して操作ボタン３４及び表示部３２などの操作面に直接衝撃が加わることを防止している。ここで操作ボタン３４は、本体１内の回路基板に実装したスイッチ（図示せず）に接触しており、図７に示した衝突物Ｂの衝撃により急激に押下されるとスイッチ及び回路基板が破損する場合があるため、保護リブ３０ａを設けることが特に重要になる。このようにカーオーディオに採用した従来の電子機器のパネル保護構造は、操作ボタン３４の間に保護リブ３０ａを介在させて突出させることで、パネル３０の破損及び本体１内の電子部品の破損などを効果的に防止していた。
【０００７】
【発明が解決しようとする課題】
しかしながら、従来の電子機器のパネル保護構造では、パネル３０に保護リブ３０ａを一体に形成し、この保護リブ３０ａの肉厚は薄いので、保護リブ３０ａの肉厚が薄さ故に、大きい衝撃が加わると、図８に示すように、保護リブ３０ａが割れて操作ボタン３４に直接衝撃が加わり衝突物Ｂにより操作ボタン３４を急激に本体１内に押し込んでしまう。これにより本体１内では、操作ボタン３４がスイッチ及び回路基板に負荷を加えて悪影響を与えてしまう。
また、従来の電子機器のパネル保護構造では、図６に示したように、本体１内にガラス材からなる液晶表示器４０を配置しており、この液晶表示器４０は、通常、電圧を印加すると分子の配列が変わる液晶を２枚の板状のガラス材にはさむことで形成されている。従って、このようなガラス材からなる液晶表示器４０は、板状のガラス材が割れ易く、例えば図８に示した衝突物Ｂの衝撃によりパネル３０に衝撃が加わって、ガラス材が割れた場合、図９に示すように内部に破片が散乱し内部に悪影響を与えてしまう。
本発明はこのような課題を解決し、電子機器本体内に悪影響を与えることなく、衝撃に耐えうる耐久性の高い電子機器のパネル保護構造を提供することを目的とする。
【０００８】
【課題を解決するための手段】
本発明は上述の課題を解決するために、電子機器本体の所定面に配置したパネルに表示部と複数の操作ボタンとを配列させ、かつ、複数配列した操作ボタン間に操作ボタンの高さより高く突出する複数の保護リブを介在させた電子機器のパネル保護構造であって、保護リブはパネルの正面側から所定の衝撃が加わった場合に、リブに一定の強度を持たせて衝撃を吸収し操作ボタン及び表示部を保護する硬質材を内部に設ける。
【０００９】
ここで、硬質材は、金属材からなる板金であり、パネルから延在する複数の保護リブ内に少なくとも１箇所以上配置することが好ましい。また、表示部は、パネル内にガラス材により形成した液晶表示器を配置し、この液晶表示器のガラス材が割れた際に破片の散乱を防止する保護シートを貼ることが好ましい。また、本体内には、パネルと所定の間隔を設けて配置されたシールド板を設けており、このシールド板と保護リブとの間の空間に硬質材を固定して設けることが好ましい。
【００１０】
【発明の実施の形態】
次に、添付図面を参照して本発明による電子機器のパネル保護構造の実施の形態を詳細に説明する。図１は、本発明による電子機器のパネル保護構造の実施の形態を示す一部切り欠いた斜視図である。また、図２は、図１に示した液晶表示器２０の詳細を示す斜視図である。また、図３は、図１に示した矢印Ａ方向から見た保護リブ１０ａに衝突物Ｂが当接した状態を示す平面図である。また、図４は、図３に示したＣ−Ｃ線の断面を示す断面図である。また、図５は、図２に示した保護シート２２を貼った液晶表示器２０が破損した状態を示す図である。
【００１１】
図１に示す本発明による電子機器のパネル保護構造の実施の形態は、図６に示した従来技術と同様にカーオーディオに採用したものであり、カーオーディオの外装を形成する本体１を設け、この本体１の所定面に表示部１２及び複数の操作ボタン１４を配置したパネル１０を備え、このパネル１０に操作ボタン１４の間に介在して突出する保護リブ１０ａを一体に形成して衝撃を吸収する構造を備えている。
【００１２】
ここで、本体１内には、図示されていないが、パネル１０の裏側に複数の電子部品を実装した回路基板を配置している。この回路基板には、パネル１０に配置した複数の操作ボタン１４を押すことで動作するスイッチ（図示せず）、及びパネル１０の表示部１２に配置される液晶表示器（ＬＣＤ）２０などの電子部品が実装されている。液晶表示器２０は、電圧を印加すると分子の配列が変わる液晶を２枚の板状のガラス材ではさんで形成している。そして、この液晶表示器２０には、図６に示した従来技術とは異なり、液晶をはさんだガラス材に図２に示す保護シート２２を貼っており、ガラス材が割れた際に発生する破片の散乱を防止する。
【００１３】
再び、図１を参照してパネル１０は、図６に示した従来技術と同様に、本体１の所定面を封止するように装着され、この表面に表示部１２を設けて本体１内から前述した液晶表示器２０を配置している。また、パネル１０には、表示部１２の近傍に複数の操作ボタン１４を配列させて突出するように配置することで操作面を形成している。これによりパネル１０の操作面では、表示部１２から所定の情報を表示して伝達できるとともに、複数配列させた操作ボタン１４を操作することで所定の機能を実行することができる。ここで、パネル１０には、複数配列する操作ボタン１４の間に介在して操作面の表面に突出する複数の保護リブ１０ａを一体に形成している。この保護リブ１０ａは、パネル１０に突出させて設けた操作ボタン１４より高く突出させて設けており、操作ボタン１４に衝撃が加わることを防止している。
【００１４】
また、パネル１０には、図６に示した従来技術とは異なり、本体１内から保護リブ１０ａの内部に金属などの板金からなる硬質材１６を配置（図１では１箇所）して保護リブ１０ａの強度が向上するように形成している。また、本体１内には、図３に示すように、回路基板（図示せず）と操作ボタン１４との間を遮蔽するように、金属による板金からなるシールド板１８がパネル１０と所定の間隔を備えて配置されている。従って、本体１内には、保護リブ１０ａとシールド板１８との間の空間に硬質材１６を介在させて固定している。これにより保護リブ１０ａは、外部からの衝撃に対して一定の強度を保つことができ、簡単に破損することがなくなる。
【００１５】
このように形成された本発明による電子機器のパネル保護構造の実施の形態は、図３に示すように、例えば、パネル１０の正面に所定の衝突物Ｂが当接して衝撃が加えられた場合、この衝突物Ｂに保護リブ１０ａが当接して操作ボタン１４及び表示部１２（図１参照）などの操作面に衝撃が加わることを防止することができる。また、保護リブ１０ａでは、図４に示すように、衝突物Ｂからの衝撃を硬質材１６が吸収し、この硬質材１６からシールド板１８に衝撃を拡散させることで効果的に衝撃を緩和している。従って、この保護リブ１０ａは、図６に示した従来技術に比べて強度が向上し、衝撃による破損を低減でき、操作ボタン１４が本体１内に急激に押し込まれてスイッチ及び回路基板（図示せず）に悪影響を与えることを防止できる。また、本体１内に配置した液晶表示器２０は、図２に示したように、ガラス材に保護シート２２を貼っているため、例えば、図３に示した衝突物Ｂの衝撃によりガラス材が割れた場合でも、図５に示すように、保護シート２２により破片が散乱することを防止できる。
【００１６】
以上、本発明による電子機器のパネル保護構造の実施の形態を詳細に説明したが、本発明は前述した実施の形態に限定されるものではなく、その要旨を逸脱しない範囲で変更可能である。
例えば、本発明による電子機器のパネル保護構造をカーオーディオに採用した実施の形態を説明したが、これに限定されるものではなく、カーナビゲーションなどの電子機器にも適用可能である。
また、パネルに保護リブを複数形成してこの中の１箇所のみに硬質材を設けた実施の形態を説明したが、これに限定されるものではなく、例えば、複数の保護リブ内に硬質材を複数配置して強度を向上させてもよい。
【００１７】
【発明の効果】
このように本発明による電子機器のパネル保護構造によれば、保護リブ内に硬質材を配置して強度を向上させているため、衝撃による破損を低減でき、本体内に悪影響を与えることなく、衝撃に耐えうる耐久性の高い電子機器のパネル保護構造を得ることができる。
また、本発明による電子機器のパネル保護構造によれば、本体内に配置した液晶表示器のガラス材に保護シートを貼っていることで、衝撃によりガラス材が割れた場合でも保護シートにより破片が散乱して本体内に悪影響を与えることを防止でき、電子機器の本体内に悪影響を与えることのない電子機器のパネル保護構造を得ることができる。
【図面の簡単な説明】
【図１】本発明による電子機器のパネル保護構造の実施の形態を示す一部切り欠いた斜視図。
【図２】図１に示した液晶表示器の詳細を示す斜視図。
【図３】図１に示した矢印Ａ方向から見た保護リブに衝突物が当接した状態を示す平面図。
【図４】図３に示したＣ−Ｃ線の断面を示す断面図。
【図５】図２に示した保護シートを貼った液晶表示器が破損した状態を示す図。
【図６】従来の電子機器のパネル保護構造を示す一部切り欠いた斜視図。
【図７】図６に示した矢印Ｄの方向から見た保護リブに衝突物が当接した状態を示す平面図。
【図８】図７に示したＥ−Ｅ線の断面で保護リブが破損した状態を示す断面図。
【図９】図６に示した液晶表示器が破損した状態を示す図。
【符号の説明】
１    本体
１０    パネル
１０ａ  保護リブ
１２    表示部
１４    操作ボタン
１６    硬質材
１８    シールド板
２０    液晶表示部
２２    保護シート
【図１】
0003751190.tif 000002
【図２】
0003751190.tif 000003
【図３】
0003751190.tif 000004
【図４】
0003751190.tif 000005
【図５】
0003751190.tif 000006
【図６】
0003751190.tif 000007
【図７】
0003751190.tif 000008
【図８】
0003751190.tif 000009
【図９】
0003751190.tif 000010